(57)【要約】      （修正有）【課題】仏壇本体をコンパクトにして置き場所をとらないと共に、他の家具や調度品と調和が取れる仏壇を提供する。【解決手段】仏壇１０は箱型の本体４０に回転可能な扉が嵌め込まれて成るものである。本体４０は前面４１が開放された箱体である。この開放された前面４１に扉が装備されるものである。扉は、本体４０の天板４２及び底板４３と扉の間に介在される回転軸２１，２２により垂直方向の軸線周りに回転可能な形態で支持されるものである。【選択図】図３
0003191633.tif 000002
【実用新案登録請求の範囲】
【請求項１】
前面が開放された箱型の本体と、垂直方向の軸線周りに回転可能であると共に、棚が取り付けられた扉とにより成る仏壇。
【請求項２】
本体と棚の対向位置にそれぞれ異なる磁極が現れる磁石を配置した請求項1に記載の仏壇。
【請求項３】
扉を湾曲した複数本の横板を隙間をあけて併置すると共に、該複数本の横板を立板で支持する形状で形成し、かつ、上記横板間の隙間に本体に設けた中間棚が位置するよう構成した請求項１又は２に記載の仏壇。
【考案の詳細な説明】
【技術分野】
【０００１】
本考案は仏壇に関し、より詳しくは、リビング等に場所を取らずに載置可能な仏壇に関する。
【背景技術】
【０００２】
一般家庭の中に常設されている仏壇は、故人の位牌と共に写真等を納めて祭るものであるが、従来の仏壇は、仏教各宗派ごとに合わせて内外を豪華な作りにしている。
【０００３】
ところで、近年、住宅事情や部屋の洋風化と共に、故人をお祭りする場合の意識や認識の変化から仏壇に対する考えも変わってきており、設置に対してスペースをとらず、見た目も他の家具類と調和のとれる仏壇の要望が高まっている。
【０００４】
かかる現代風仏壇に関する先行文献として仏壇内に光源を配置し、載置台上の仏像をライトアップ可能な仏壇が特許文献１に開示されている。また、仏壇の隠れた空白部分を利用することにより納骨スペ−スを作った仏壇が特許文献２に開示されている。
【先行技術文献】
【特許文献】
【０００５】
【特許文献１】登録実用新案公報第３１６５６０２号
【特許文献２】登録実用新案公報第３０２２１０２号
【考案の概要】
【考案が解決しようとする課題】
【０００６】
従来の仏壇は、内外を豪華な作りにしているので、どうしても他の家具や調度品と調和が取れないだけでなく、比較的大きな箱状になっているので、設置するための場所にスペースが必要になり、仏壇を購入する場合のネックになっている。
【０００７】
そこで、この考案の課題は、仏壇本体をコンパクトにして置き場所をとらないと共に、他の家具や調度品と調和が取れる仏壇を提供することに有る。
【課題を解決するための手段】
【０００８】
上記の目的を達成する本考案の構成は次の通りである。
【０００９】
（１）  請求項１に記載の仏壇は、前面が開放された箱型の本体と、垂直方向の軸線周りに回転可能であると共に、本体内に収納可能な棚が取り付けられた扉とにより構成される。
【００１０】
（２）  請求項２に記載の仏壇は、請求項1記載の考案において、本体と棚の対向位置にそれぞれ異なる磁極が現れる磁石を配置して構成した。
【００１１】
（３）  請求項３に記載の仏壇は、請求項１又は２に記載の考案において、扉を湾曲した複数本の横板を隙間をあけて併置すると共に該複数本の横板を立板で支持する形状で形成し、かつ、上記横板間の隙間に本体に設けた中間棚が位置するよう構成した。
【考案の効果】
【００１２】
上記のように構成される本考案が、如何に作用して課題を解決するかを図面を参照しながら概説する。
【００１３】
図２は本考案に係る仏壇１０の一部切開平面図である。扉２０と一体的に設けられた棚３０が本体４０内に収納されているので本体１０の大きさを小さなものとすることが可能となり仏壇１０の設置スペースが小さくて済むものである。また、外部からは箱としか視認できず、他の家具や調度品と調和が取れるものとなる。
【００１４】
更には、請求項３に記載の仏壇では図５に示すように正面から見た状態では、扉２０が格子状の家具調扉に見え、インテリア的な要素を備えることになり、リビング等により調和する現代風な仏壇となるものである。
【００１５】
一方、図４に示すように扉２０を回転させると棚３０ａ，３０ｂ，３０ｃ，３０ｄ，３０ｅが外部に現れ、荘厳な仏壇が現れるものとなる。
【００１６】
請求項２に記載の仏壇においては図１に示すように本体４０と扉２０との間に対向する形態で磁石５０，５１が、それぞれ異なる磁極が現れる向きで配置されている。これにより、両磁石５０，５１が引き合うことで、扉２０の回転が抑制され、不要に回転することがなくなるものである。
【００１７】
請求項３に記載の仏壇においては図７に示すように本体４０を構成する中間棚４４と棚３０ｃとの間に対向する形態で磁石５０，５１が、それぞれ異なる磁極が現れる向きで配置されている。これにより、両磁石５０，５１が引き合うことで、扉２０の回転が抑制され、不要に回転することがなくなるものである。
【図面の簡単な説明】
【００１８】
【図１】本考案に係る仏壇の正面図
【図２】本考案に係る仏壇の一部切開平面図
【図３】Ａ−Ａ線断面図
【図４】扉を回転させた状態の側面図
【図５】請求項３記載の仏壇の正面図
【図６】同、一部切開平面図
【図７】Ｂ−Ｂ線断面図
【考案を実施するための形態】
【００１９】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２０】
本考案に係る仏壇１０は箱型の本体４０に回転可能な扉２０が嵌め込まれて成るものである。以下、詳述する。
【００２１】
本体４０は図２や図６に示すように前面４１が開放された箱体である。この開放された前面４１に扉２０が装備されるものである。
【００２２】
扉２０は図１や図３に示されるように、本体４０の天板４２及び底板４３と扉２０の間に介在される回転軸２１，２２により垂直方向の軸線周りに回転可能な形態で支持されるものである。
【００２３】
請求項３に記載の考案においては図７に示すように本体４０を構成する中間棚４２と扉２０の間にも回転軸２３が介在させてある。また、底板４３と棚３０ｅとの間に軸２２が介在されている。
【００２４】
請求項１又は請求項２に記載の考案においては、図１に示すように、本体４０を構成する天板４２及び底板４３と扉２０の対向位置に、磁石５０，５１がそれぞれ介在させてある。この際、磁石５０と磁石５１の対向面は、例えば磁石５０がＳ極であれば磁石５１はＮ極が対向するように設置してある。請求項３に記載の考案においては図７に示すように本体４０を構成する中間棚４４と、扉に一体的に設けられる棚３０ｃの対向位置に、反対の磁極が対面する形態で磁石５０，５１がそれぞれ介在させてある。
【００２５】
扉２０は請求項１又は２に記載の考案においては平板状の板体を用いている。この平板状の板体に棚３０ａ，３０ｂ，３０ｃ，３０ｄ，３０ｅが取り付けられている。当該棚は扉２０の回転時に本体４０の側板４３に当接しない形状に設ける必要があり、大型の棚３０ｃ，３０ｄ，３０ｅはその外縁部が円弧状に形成してある。
【００２６】
請求項３に記載の考案においては、扉２０は湾曲した複数本の横板２４・・を隙間をあけて併置すると共に該複数本の横板２４・・を立板２５で支持する形状で形成してある。そしてこの横板２４，２４間の隙間に本体に設けた中間棚４４が位置するよう形成してある。これにより扉２０の回転が中間棚４４により制限されることを回避可能となるものである。
【符号の説明】
【００２７】
１０・・仏壇
２０・・扉      ２１，２２，２３・・回転軸  ２４・・横板    ２５・・立板
３０ａ，３０ｂ，３０ｃ，３０ｄ，３０ｅ・・棚
４０・・本体      ４１・・前面     ４２・・天板      
４３・・底板      ４４・・中間棚
４３・・側板
５０，５１・・磁石
【図１】
0003191633.tif 000003
【図２】
0003191633.tif 000004
【図３】
0003191633.tif 000005
【図４】
0003191633.tif 000006
【図５】
0003191633.tif 000007
【図６】
0003191633.tif 000008
【図７】
0003191633.tif 000009